(57)【特許請求の範囲】
【請求項１】
放送信号を受信する複数のアンテナと、
各アンテナの受信信号を周波数多重して伝送路に送出する多重手段と、
前記伝送路にて伝送された多重信号を供給され任意のチャンネルに同調して受信する受信手段と、
前記受信手段で受信したチャンネルの信号を復調する復調手段と、
前記受信手段に前記多重信号に含まれる複数の物理チャンネルをスキャンさせるチャンネルスキャン手段と、
前記チャンネルスキャン手段によるスキャン時に、前記受信手段又は前記復調手段で得られる受信状態を基に、前記複数のアンテナで受信された同一放送チャンネルの受信信号のうち最も受信状態が良好な受信信号の前記多重信号における物理チャンネルを前記放送チャンネルと共に記憶する記憶手段とを有し、
所望の放送チャンネルを指定されたとき前記記憶手段から該当する前記多重信号における物理チャンネルを読み出して前記受信手段に受信させることを特徴とするダイバシティ受信システム。
【請求項２】
放送信号を受信する複数のアンテナと、
各アンテナの受信信号を周波数多重して伝送路に送出する多重手段と、
前記伝送路にて伝送された多重信号を供給され任意のチャンネルに同調して受信する複数の受信手段と、
前記複数の受信手段で受信されたチャンネルの信号のうちいずれか一つを選択する信号選択手段と、
前記信号選択手段で選択したチャンネルの信号を復調する復調手段と、
前記複数の受信手段のいずれかに前記多重信号に含まれる複数の物理チャンネルをスキャンさせるチャンネルスキャン手段と、
前記チャンネルスキャン手段によるスキャン時に、前記複数のアンテナで受信された同一放送チャンネルの受信信号それぞれの前記多重信号における物理チャンネルを前記放送チャンネルと共に記憶する記憶手段と、
前記複数の受信手段で得られる受信状態を比較して最も受信状態が良好な受信手段で受信されたチャンネルの信号を前記信号選択手段に選択させる比較手段とを有し、
所望の放送チャンネルを指定されたとき前記記憶手段から該当する前記多重信号における複数の物理チャンネルを読み出して前記複数の受信手段に受信させることを特徴とするダイバシティ受信システム。
【請求項３】
放送信号を受信する複数のアンテナと、
各アンテナの受信信号を周波数多重して伝送路に送出する多重手段と、
前記伝送路にて伝送された多重信号を供給され任意のチャンネルに同調して受信する複数の受信手段と、
前記複数の受信手段それぞれで受信されたチャンネルの信号を合成するダイバシティ合成手段と、
前記ダイバシティ合成手段で合成したチャンネルの信号を復調する復調手段と、
前記複数の受信手段のいずれかに前記多重信号に含まれる複数の物理チャンネルをスキャンさせるチャンネルスキャン手段と、
前記チャンネルスキャン手段によるスキャン時に、前記複数のアンテナで受信された同一放送チャンネルの受信信号それぞれの前記多重信号における物理チャンネルを前記放送チャンネルと共に記憶する記憶手段とを有し、
所望の放送チャンネルを指定されたとき前記記憶手段から該当する前記多重信号における複数の物理チャンネルを読み出して前記複数の受信手段に受信させることを特徴とするダイバシティ受信システム。
【請求項４】
放送信号を受信する複数のアンテナと、
各アンテナの受信信号を周波数多重して伝送路に送出する多重手段と、
前記伝送路にて伝送された多重信号を供給され任意のチャンネルに同調して受信する複数の受信手段と、
前記複数の受信手段で受信したチャンネルの信号を復調する複数の復調手段と、
前記複数の復調手段で復調された信号のうちいずれか一つを選択する信号選択手段と、
前記複数の受信手段のいずれかに前記多重信号に含まれる複数の物理チャンネルをスキャンさせるチャンネルスキャン手段と、
前記チャンネルスキャン手段によるスキャン時に、前記複数のアンテナで受信された同一放送チャンネルの受信信号それぞれの前記多重信号における物理チャンネルを前記放送チャンネルと共に記憶する記憶手段と、
前記複数の復調手段で得られる受信状態を比較して最も受信状態が良好な受信手段で受信されたチャンネルの信号を前記信号選択手段に選択させる比較手段とを有し、
所望の放送チャンネルを指定されたとき前記記憶手段から該当する前記多重信号における複数の物理チャンネルを読み出して前記複数の受信手段に受信させることを特徴とするダイバシティ受信システム。
【発明の詳細な説明】
【技術分野】
【０００１】
本発明は、ダイバシティ受信システムに関し、特に、放送信号を受信するダイバシティ受信システムに関する。
【背景技術】
【０００２】
例えば地上デジタル放送等のデジタル信号の受信特性を改善する技術してダイバシティ受信技術がある。これは、複数の受信アンテナで受信した地上デジタル放送信号を選択又は合成する技術である。
【０００３】
地上デジタル放送の受信可能なエリアであっても、季節変動等の時間的な変動により安定した受信が困難となる地域がある。このような地域に対しては、アンテナを複数用いるダイバシティ受信が有効である。
【０００４】
複数のアンテナで受信した地上デジタル放送信号を合成する方法としては、複数のアンテナで受信した高周波信号それぞれの位相調整を行った後に単純合成する方法がある。また、より改善効果の高い方法として、各アンテナにおける受信状態に応じて複数の受信信号を適応的に選択又は合成を行う方法がある（例えば特許文献１参照。）。
【特許文献１】特許３３７７３６１号公報
【発明の開示】
【発明が解決しようとする課題】
【０００５】
高周波信号で位相調整を行った後に単純合成する方法では、各受信信号それぞれに含まれる複数チャンネルを同時に合成すると、チャンネル数が増えるにしたがってチャンネルによっては位相がずれた状態となり、受信特性の改善効果が低くなるという問題があった。
【０００６】
また、受信状態に応じて複数の受信信号を適応的に選択又は合成を行う方法は、各受信アンテナから地上デジタル放送受信機までアンテナ本数分のケーブル敷設が必要となり、コストアップするという問題があった。
【０００７】
本発明は、上記の点に鑑みなされたもので、複数の受信アンテナから受信機までを１本のケーブルで接続でき、高い受信特性の改善効果を得ることができるダイバシティ受信システムを提供することを目的とする。
【課題を解決するための手段】
【０００８】
本発明の一実施態様では、放送信号を受信する複数のアンテナと、
各アンテナの受信信号を周波数多重して伝送路に送出する多重手段と、
前記伝送路にて伝送された多重信号を供給され任意のチャンネルに同調して受信する受信手段と、
前記受信手段で受信したチャンネルの信号を復調する復調手段と、
前記受信手段に前記多重信号に含まれる複数の物理チャンネルをスキャンさせるチャンネルスキャン手段と、
前記チャンネルスキャン手段によるスキャン時に、前記受信手段又は前記復調手段で得られる受信状態を基に、前記複数のアンテナで受信された同一放送チャンネルの受信信号のうち最も受信状態が良好な受信信号の前記多重信号における物理チャンネルを前記放送チャンネルと共に記憶する記憶手段とを有し、
所望の放送チャンネルを指定されたとき前記記憶手段から該当する前記多重信号における物理チャンネルを読み出して前記受信手段に受信させることにより、複数の受信アンテナから受信機までを１本のケーブルで接続でき、高い受信特性の改善効果を得ることができる。
【０００９】
また、本発明の一実施態様では、放送信号を受信する複数のアンテナと、
各アンテナの受信信号を周波数多重して伝送路に送出する多重手段と、
前記伝送路にて伝送された多重信号を供給され任意のチャンネルに同調して受信する複数の受信手段と、
前記複数の受信手段で受信されたチャンネルの信号のうちいずれか一つを選択する信号選択手段と、
前記信号選択手段で選択したチャンネルの信号を復調する復調手段と、
前記複数の受信手段のいずれかに前記多重信号に含まれる複数の物理チャンネルをスキャンさせるチャンネルスキャン手段と、
前記チャンネルスキャン手段によるスキャン時に、前記複数のアンテナで受信された同一放送チャンネルの受信信号それぞれの前記多重信号における物理チャンネルを前記放送チャンネルと共に記憶する記憶手段と、
前記複数の受信手段で得られる受信状態を比較して最も受信状態が良好な受信手段で受信されたチャンネルの信号を前記信号選択手段に選択させる比較手段とを有し、
所望の放送チャンネルを指定されたとき前記記憶手段から該当する前記多重信号における複数の物理チャンネルを読み出して前記複数の受信手段に受信させることにより、複数の受信アンテナから受信機までを１本のケーブルで接続でき、高い受信特性の改善効果を得ることができる。
【００１０】
また、本発明の一実施態様では、放送信号を受信する複数のアンテナと、
各アンテナの受信信号を周波数多重して伝送路に送出する多重手段と、
前記伝送路にて伝送された多重信号を供給され任意のチャンネルに同調して受信する複数の受信手段と、
前記複数の受信手段それぞれで受信されたチャンネルの信号を合成するダイバシティ合成手段と、
前記ダイバシティ合成手段で合成したチャンネルの信号を復調する復調手段と、
前記複数の受信手段のいずれかに前記多重信号に含まれる複数の物理チャンネルをスキャンさせるチャンネルスキャン手段と、
前記チャンネルスキャン手段によるスキャン時に、前記複数のアンテナで受信された同一放送チャンネルの受信信号それぞれの前記多重信号における物理チャンネルを前記放送チャンネルと共に記憶する記憶手段とを有し、
所望の放送チャンネルを指定されたとき前記記憶手段から該当する前記多重信号における複数の物理チャンネルを読み出して前記複数の受信手段に受信させることにより、複数の受信アンテナから受信機までを１本のケーブルで接続でき、高い受信特性の改善効果を得ることができる。
【００１１】
また、本発明の一実施態様では、放送信号を受信する複数のアンテナと、
各アンテナの受信信号を周波数多重して伝送路に送出する多重手段と、
前記伝送路にて伝送された多重信号を供給され任意のチャンネルに同調して受信する複数の受信手段と、
前記複数の受信手段で受信したチャンネルの信号を復調する複数の復調手段と、
前記複数の復調手段で復調された信号のうちいずれか一つを選択する信号選択手段と、
前記複数の受信手段のいずれかに前記多重信号に含まれる複数の物理チャンネルをスキャンさせるチャンネルスキャン手段と、
前記チャンネルスキャン手段によるスキャン時に、前記複数のアンテナで受信された同一放送チャンネルの受信信号それぞれの前記多重信号における物理チャンネルを前記放送チャンネルと共に記憶する記憶手段と、
前記複数の復調手段で得られる受信状態を比較して最も受信状態が良好な受信手段で受信されたチャンネルの信号を前記信号選択手段に選択させる比較手段とを有し、
所望の放送チャンネルを指定されたとき前記記憶手段から該当する前記多重信号における複数の物理チャンネルを読み出して前記複数の受信手段に受信させることにより、複数の受信アンテナから地上デジタル放送受信機までを１本のケーブルで接続でき、高い受信特性の改善効果を得ることができる。
【発明の効果】
【００１２】
本発明によれば、複数の受信アンテナから受信機までを１本のケーブルで接続でき、高い受信特性の改善効果を得ることができる。
【発明を実施するための最良の形態】
【００１３】
以下、図面を参照して本発明の実施の形態について詳細に説明する。
【００１４】
図１は、本発明のダイバシティ受信システムの一実施形態の構成図を示す。同図中、屋外に設置した２本の受信アンテナ１１，１２によりＵＨＦ帯の地上デジタル放送を受信する。
【００１５】
受信アンテナ１１で受信したＵＨＦ帯の信号は、合成部１３に供給される。受信アンテナ１２で受信したＵＨＦ帯の信号は周波数変換部１４に供給され、例えばＳＨＢ（ＶＨＦスーパーハイバンド）帯に周波数変換されて合成部１３に供給される。
【００１６】
合成部１３は上記ＵＨＦ帯の信号とＳＨＢ帯の信号とを加算合成して周波数多重を行い、多重信号をケーブル１５に送出する。これにより、多重信号はケーブル１５から屋内配線１６を通してダイバシティ受信機１７まで伝送される。
【００１７】
ここで、地上デジタル放送がＵＨＦ帯の２０ｃｈ〜２７ｃｈ（放送波信号のチャンネル番号を表す）の場合、周波数変換部１４は受信アンテナ１２で受信したＵＨＦ帯の２０ｃｈ〜２７ｃｈを例えばＳＨＢ（ＶＨＦスーパーハイバンド）帯のＣ２３ｃｈ〜Ｃ３０ｃｈ（Ｃはケーブルテレビジョンのチャンネル番号を表す）、又はＳＨＢ帯のＣ５０ｃｈ〜Ｃ５７ｃｈに周波数変換する。
【００１８】
なお、地上デジタル放送がＵＨＦ帯で分散したチャンネルに割当てられている場合には、個別のチャンネル毎に周波数変換する。周波数変換先の帯域としてはＳＨＢ帯に限らず、ＭＩＤ（ＶＨＦミッドバンド）帯を用いても良く、ＵＨＦ帯の空きチャンネルを用いても良い。
【００１９】
＜第１実施形態＞
図２は、ダイバシティ受信機の第１実施形態の構成図を示す。同図中、端子２１には屋内配線１６から多重信号が入力されてチューナ部２２に供給される。チューナ部２２で同調され受信されたチャンネルのＦＦＴ出力は復調部２３においてＴＳ（Ｔｒａｎｓｐｏｒｔ  Ｓｔｒｅａｍ）信号に復調され、デコード部２４でデコードされて図示しない後続回路に出力される。
【００２０】
図３にチューナ部２２及び復調部２３の構成例を示す。同図中、多重信号はチューナ部２２の周波数変換部３１に供給され、ここで局部発振器３２から供給される局部発振信号と混合されてＩＦ（中間周波）信号とされる。この後、ＩＦ信号はＡＤ変換部３３でデジタル化されてＦＦＴ部３４に供給され、ＦＦＴ演算によって周波数領域の信号に変換される。
【００２１】
ＦＦＴ部３４の出力する周波数領域の信号は復調部２３のデマッピング部３５でデマッピングされたのち、誤り訂正復号部３６において誤り訂正を行いつつ復号されてＴＳ信号とされ出力される。
【００２２】
ここで、地上デジタル放送の受信状態は、例えば周波数変換部３１へ入力するＲＦ信号レベルである受信レベルで知ることができる。また、例えばデマッピング部３５から出力されるＭＥＲ（変調エラー率）で知ることができ、誤り訂正復号部３６から出力されるＢＥＲ（ビットエラー率）で知ることができる。
【００２３】
図２に示すチャンネルスキャン部２５は、受信機の電源オフ直後の待機状態時又は予め設定された時刻又は一定時間毎に多重信号に対する自動チャンネルスキャンを行う。自動チャンネルスキャンは、チャンネルスキャン部２５からチューナ部２２の局部発振器３２に対して選局制御信号を供給し、チューナ部２２から受信レベル又はＭＥＲ又はＢＥＲを測定しつつ実行する。
【００２４】
チャンネルスキャン部２５は、局部発振信号の周波数を例えば最低周波数から順次増加させ、放送波を検出した際に、復調部２３の出力するＴＳ信号に含まれるＴＳ−ＩＤを、放送チャンネルを特定するための放送局情報として得ると共に、チューナ部２２又は復調部２３の出力する受信状態（受信レベル又はＭＥＲ又はＢＥＲ）を得る。
【００２５】
なお、例えば多重信号のＳＨＢ帯のＣ２３ｃｈ〜Ｃ３０ｃｈとＵＨＦ帯の２０ｃｈ〜２７ｃｈに放送チャンネルが存在することが予め分かっている場合には、ＴＳ−ＩＤが得られなくとも、ＳＨＢ帯のＣ２３ｃｈとＵＨＦ帯の２０ｃｈを同一の放送チャンネル（例えば「第１放送チャンネル」）として特定することができる。
【００２６】
そして、放送波を検出したチャンネルの放送局情報（ＴＳ−ＩＤ）を指定のリモコンキー番号に割当て、検出した物理チャンネル（局部発振信号の周波数）及び受信状態を図４に示すチャンネルメモリ２６に書き込んで記憶する。なお、受信状態はチャンネルメモリ２６とは別のメモリに一時的に書き込んで保持する構成としても良い。なお、チャンネルメモリ２６は不揮発性メモリとする。
【００２７】
このため、受信アンテナ１２で受信したＳＨＢ帯の各放送チャンネルが先にチャンネルメモリ２６に書き込まれる。次に、受信アンテナ１１で受信したＵＨＦ帯の各放送チャンネルを受信する際に、受信した放送波の放送局情報（ＴＳ−ＩＤ）がチャンネルメモリ２６に書き込まれている放送局情報（ＴＳ−ＩＤ）と一致すると、受信した放送波の受信状態とチャンネルメモリ２６に書き込まれている当該チャンネルの受信状態とを比較し、受信した放送波の受信状態が良好な（受信レベルが高い又はＭＥＲが高い又はＢＥＲが低い）場合にだけ、受信した放送波の物理チャンネルをチャンネルメモリ２６の当該チャンネルの物理チャンネルに書き込んで更新する。
【００２８】
これによって、チャンネルメモリ２６には、受信アンテナ１１，１２のうち受信状態の良好な方のアンテナの物理チャンネルが放送局情報及びリモコンキー番号と対応して記憶される。
【００２９】
上記のチャンネルメモリ２６の設定後、ユーザが図示しないリモコンキーを操作して所望のチャンネルの選局を指定すると、リモコンキー番号がチューナ部２２内の図示しない選局制御部に入力され、選局制御部はこのリモコンキー番号でチャンネルメモリ２６を検索して物理チャンネル（局部発振信号の周波数）を得て、この物理チャンネルを局部発振器３２に設定することで、受信アンテナ１１，１２のうち受信状態の良好な方を受信することができる。
【００３０】
また、受信機の電源オフ後の予め設定された時刻又は一定時間毎に多重信号に対する自動チャンネルスキャンを行うことで、受信状態が変化した場合にも対応でき、受信状態の良好な方のアンテナの物理チャンネルが放送局情報及びリモコンキー番号をチャンネルメモリ２６に記憶することができる。
【００３１】
＜第２実施形態＞
図５は、ダイバシティ受信機の第２実施形態の構成図を示す。同図中、図２と同一部分には同一符号を付す。図５において、端子２１には屋内配線１６から多重信号が入力されてチューナ部２２Ａ，２２Ｂに供給される。チューナ部２２Ａ，２２Ｂはチューナ部２２と同一構成である。
【００３２】
チューナ部２２Ａ，２２Ｂそれぞれで同調され受信されたチャンネルのＦＦＴ出力は信号選択部４０に供給されて、いずれか一方が選択される。選択されたＦＦＴ出力は復調部２３においてＴＳ信号に復調され、デコード部２４でデコードされて図示しない後続回路に出力される。
【００３３】
チャンネルスキャン部４１は、受信機の電源オフ直後の待機状態時又は予め設定された時刻又は一定時間毎に、多重信号に対する自動チャンネルスキャンを行う。自動チャンネルスキャンは、チャンネルスキャン部４１からチューナ部２２Ａ，２２Ｂのいずれか一方、例えばチューナ部２２Ａの局部発振器３２Ａに対して選局制御信号を供給して実行する。なお、自動チャンネルスキャン時には信号選択部４０はチューナ部２２Ａの出力を選択する。
【００３４】
チャンネルスキャン部４１は、局部発振信号の周波数を例えば最低周波数から順次増加させ、放送波を受信した際に、復調部２３の出力するＴＳ信号に含まれるＴＳ−ＩＤを、放送チャンネルを特定するための放送局情報として得ると共に、チューナ部２２Ａ又は復調部２３の出力する受信状態（受信レベル又はＭＥＲ又はＢＥＲ）を得る。
【００３５】
そして、放送波を検出したチャンネルの放送局情報（ＴＳ−ＩＤ）を指定のリモコンキー番号に割当て、検出した物理チャンネル（局部発振信号の周波数）を図６に示すチャンネルメモリ４２の第１物理チャンネル又は第２物理チャンネルに書き込んで記憶する。
【００３６】
この場合、同一ＴＳ−ＩＤのチャンネルが２回検出されるが、そのときの受信状態をチャンネルメモリ４２とは別のメモリ（又はチャンネルメモリ４２内の空き領域）に一時的に書き込んで保持する。その際に、受信状態が良好な方の物理チャンネルを第１物理チャンネルに記憶し、他方の物理チャンネルを第２物理チャンネルに記憶するよう記憶内容の入れ替えを行う。なお、チャンネルメモリ４２は不揮発性メモリとする。
【００３７】
このため、チャンネルメモリ４２には受信アンテナ１１，１２それぞれで受信する第１及び第２物理チャンネルがリモコンキー番号と対応して記憶される。
【００３８】
比較部４３は、信号選択部４０に初期状態ではチューナ部２２Ａの出力を選択させる。その後、比較部４３は、チューナ部２２Ａの出力する受信状態（受信レベル）とチューナ部２２Ｂの出力する受信状態（受信レベル）を比較して、比較結果に応じて信号選択部４０の切替え制御を行う。
【００３９】
すなわち、比較部４３は、チューナ部２２Ａの受信状態が所定の閾値より悪化し、かつ、チューナ部２２Ｂの受信状態がチューナ部２２Ａの受信状態より良ければチューナ部２２Ｂの出力を選択するように信号選択部４０の切替え制御を行う。更に、この状態で、チューナ部２２Ｂの受信状態が所定の閾値より悪化し、かつ、チューナ部２２Ａの受信状態がチューナ部２２Ｂの受信状態より良ければチューナ部２２Ｂの出力を選択するように信号選択部４０の切替え制御を行う。
【００４０】
上記のチャンネルメモリ４２の設定後、ユーザが図示しないリモコンキーを操作して所望のチャンネルの選局を指定すると、リモコンキー番号がチューナ部２２Ａ，２２Ｂ内の図示しない選局制御部に入力され、チューナ部２２Ａ，２２Ｂそれぞれの選局制御部はこのリモコンキー番号でチャンネルメモリ４２を検索して第１，第２物理チャンネル（局部発振信号の周波数）を得る。
【００４１】
そして、チューナ部２２Ａは第１物理チャンネルを局部発振器３２Ａに設定して受信を行い、チューナ部２２Ｂは第２物理チャンネルを局部発振器３２Ｂに設定して受信を行う。比較部４３は、前述のように、チューナ部２２Ａの出力する受信状態（受信レベル）とチューナ部２２Ｂの出力する受信状態（受信レベル）を比較し、比較結果から受信状態が良好な（受信レベルが高い）方のチューナ出力を選択するように、信号選択部４０の制御を行うことで、受信状態の良好な方のＦＦＴ出力が復調部２３で復調され、デコーダ部２４でデコードされて出力される。
【００４２】
この実施形態では、テレビの視聴中にチューナ部２２Ａ，２２Ｂのうち信号選択部４０で選択している一方の受信状態が他方の受信状態より悪化した場合、信号選択部４０は受信状態の良好な方に切替えを行うことで、所望のチャンネルの受信状態をリアルタイムに改善することができる。
【００４３】
なお、受信状態として受信レベル以外の例えばＭＥＲ又はＢＥＲを用いる場合には、チューナ部２２Ａ，２２Ｂの後段にそれぞれ復調部（２３Ａ，２３Ｂ）を配置して、それぞれの復調部（２３Ａ，２３Ｂ）出力するＴＳ信号を信号選択部４０に供給し、比較部４３は復調部（２３Ａ，２３Ｂ）から供給されるＭＥＲ又はＢＥＲを比較して信号選択部４０の選択制御を行い、信号選択部４０で選択したＴＳ信号をデコーダ部２４に供給する構成とする。
【００４４】
＜第３実施形態＞
図７は、ダイバシティ受信機の第３実施形態の構成図を示す。同図中、図５と同一部分には同一符号を付す。図７において、端子２１には屋内配線１６から多重信号が入力されてチューナ部２２Ａ，２２Ｂに供給される。チューナ部２２Ａ，２２Ｂはチューナ部２２と同一構成である。
【００４５】
チューナ部２２Ａ，２２Ｂそれぞれで同調され受信されたチャンネルのＦＦＴ出力はダイバシティ合成部５０に供給されて合成される。合成されたＦＦＴ出力は復調部２３においてＴＳ信号に復調され、デコード部２４でデコードされて図示しない後続回路に出力される。
【００４６】
図８にダイバシティ合成部５０の構成例を示す。同図中、端子５１，５２にはチューナ部２２Ａ，２２Ｂそれぞれの出力する周波数領域の信号が供給され、合成部５３及び伝送路推定部５４に供給される。
【００４７】
伝送路推定部５４は端子５１，５２からの周波数領域の信号を基に伝送路推定を行う。地上デジタル放送ではＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）信号を用いている。伝送路推定部５４は端子５１，５２からの周波数領域の信号から、ＯＦＤＭ信号に等化用に挿入されているパイロットキャリアを抽出し、抽出したパイロットキャリアを基準パイロット信号（内蔵する基準パイロットキャリア発生部で発生する）で複素除算して、伝搬路で受けた振幅、位相の変動である伝搬路特性を得る。そして、パイロットキャリアの伝搬路特性から、パイロットキャリア間にある各データキャリアの伝搬路特性を内挿補間することで推定して重み付け部５５に供給する。
【００４８】
重み付け部５５は、端子５１，５２からの周波数領域の信号それぞれで推定したＯＦＤＭキャリア（パイロットキャリア及びデータキャリア）レベルを基に、ＯＦＤＭキャリアレベルが大なるほど大きな重み付け係数となるように、端子５１，５２からの周波数領域の信号それぞれに対する合成の重み付け係数をＯＦＤＭキャリア毎に算出して合成部５３に供給する。
【００４９】
合成部５３は、端子５１，５２からの周波数領域の信号それぞれにＯＦＤＭキャリア毎に重み付け係数を乗算したのち加算することでダイバシティ合成を行って、端子５６から出力する。
【００５０】
チャンネルスキャン部４１は、受信機の電源オフ直後の待機状態時又は予め設定された時刻又は一定時間毎に、多重信号に対する自動チャンネルスキャンを行う。自動チャンネルスキャンは、チャンネルスキャン部４１からチューナ部２２Ａ，２２Ｂのいずれか一方、例えばチューナ部２２Ａの局部発振器３２Ａに対して選局制御信号を供給して実行する。
【００５１】
チャンネルスキャン部４１は、局部発振信号の周波数を例えば最低周波数から順次増加させ、放送波を受信した際に、復調部２３の出力するＴＳ信号に含まれるＴＳ−ＩＤを、放送チャンネルを特定するための放送局情報として得ると共に、チューナ部２２Ａ又は復調部２３の出力する受信状態（受信レベル又はＭＥＲ又はＢＥＲ）を得る。
【００５２】
そして、放送波を検出したチャンネルの放送局情報（ＴＳ−ＩＤ）を指定のリモコンキー番号に割当て、検出した物理チャンネル（局部発振信号の周波数）を図９に示すチャンネルメモリ４２の第１物理チャンネル又は第２物理チャンネルに書き込んで記憶する。
【００５３】
この場合、同一ＴＳ−ＩＤのチャンネルが２回検出されるが、そのときの受信状態をチャンネルメモリ４２とは別のメモリ（又はチャンネルメモリ４２内の空き領域）に一時的に書き込んで保持する。その際に、受信状態が良好な方の物理チャンネルを第１物理チャンネルに記憶し、他方の物理チャンネルを第２物理チャンネルに記憶するよう記憶内容の入れ替えを行う。
【００５４】
このため、チャンネルメモリ４２には受信アンテナ１１，１２それぞれで受信する第１及び第２物理チャンネルがリモコンキー番号と対応して記憶される。
【００５５】
上記のチャンネルメモリ４２の設定後、ユーザが図示しないリモコンキーを操作して所望のチャンネルの選局を指定すると、リモコンキー番号がチューナ部２２Ａ，２２Ｂ内の図示しない選局制御部に入力され、チューナ部２２Ａ，２２Ｂそれぞれの選局制御部はこのリモコンキー番号でチャンネルメモリ４２を検索して第１，第２物理チャンネル（局部発振信号の周波数）を得る。
【００５６】
そして、チューナ部２２Ａは第１物理チャンネルを局部発振器３２Ａに設定して受信を行い、チューナ部２２Ｂは第２物理チャンネルを局部発振器３２Ｂに設定して受信を行う。ダイバシティ合成部５０は、チューナ部２２Ａ，２２Ｂそれぞれで得られたＦＦＴ出力を合成する。合成されたＦＦＴ出力は復調部２３においてＴＳ信号に復調され、デコード部２４でデコードされて図示しない後続回路に出力される。
【００５７】
この実施形態では、チューナ部２２Ａ，２２ＢのＦＦＴ出力を合成して復調することにより、所望のチャンネルを常時最適な状態で受信することができる。
【００５８】
なお、上記実施形態では、受信アンテナを２本としているが、３本以上の受信アンテナを用いても良い。例えば受信アンテナが３本の場合、第１アンテナで受信したＵＨＦ帯の２０ｃｈ〜２７ｃｈはそのままの周波数とし、第２アンテナで受信したＵＨＦ帯の２０ｃｈ〜２７ｃｈを例えばＳＨＢ帯のＣ２３ｃｈ〜Ｃ３０ｃｈに周波数変換し、第３アンテナで受信したＵＨＦ帯の２０ｃｈ〜２７ｃｈを例えばＳＨＢ帯のＣ５０ｃｈ〜Ｃ５７ｃｈに周波数変換する。そして、第２、第３実施形態ではチューナ部をアンテナ本数分だけ設ければよい。
【００５９】
なお、上記実施形態では、多重手段の一例として合成部１３，周波数変換部１４を用い、受信手段の一例としてチューナ部２２，２２Ａ，２２Ｂを用い、信号選択手段の一例として信号選択部４０を用い、復調手段の一例として復調部２３を用い、チャンネルスキャン手段の一例としてチャンネルスキャン部２５，４１を用い、記憶手段の一例としてチャンネルメモリ２６，４２を用い、比較手段の一例として比較部４３を用い、ダイバシティ合成手段の一例としてダイバシティ合成部５０を用いている。
【図面の簡単な説明】
【００６０】
【図１】本発明のダイバシティ受信システムの一実施形態の構成図である。
【図２】ダイバシティ受信機の第１実施形態の構成図である。
【図３】チューナ部及び復調部の構成例を示す図である。
【図４】チャンネルメモリの記憶内容を示す図である。
【図５】本発明のダイバシティ受信システムの一実施形態のブロック図である。
【図６】チャンネルメモリの記憶内容を示す図である。
【図７】ダイバシティ受信機の第３実施形態の構成図である。
【図８】ダイバシティ合成部の構成例を示す図である。
【図９】チャンネルメモリの記憶内容を示す図である。
【符号の説明】
【００６１】
１１，１２  受信アンテナ
１３  合成部
１４  周波数変換部
１５  ケーブル
１６  屋内配線
１７  ダイバシティ受信機
２２，２２Ａ，２２Ｂ  チューナ部
２３  復調部
２４  デコーダ部
２５，４１  チャンネルスキャン部
２６，４２  チャンネルメモリ
３１  周波数変換部
３２  局部発振器
３３  ＡＤ変換部
３４  ＦＦＴ部
３５  デマッピング部
３６  誤り訂正復号部
４０  信号選択部
４３  比較部
５０  ダイバシティ合成部
５３  合成部
５４  伝送路推定部
５５  重み付け部
【図１】
0004719229.tif 000002
【図２】
0004719229.tif 000003
【図３】
0004719229.tif 000004
【図４】
0004719229.tif 000005
【図５】
0004719229.tif 000006
【図６】
0004719229.tif 000007
【図７】
0004719229.tif 000008
【図８】
0004719229.tif 000009
【図９】
0004719229.tif 000010